(57)【要約】【課題】視聴制限を有する映像コンテンツにおいて、視聴残期間が少ない映像コンテンツを一覧の上位に表示することにより映像の見損ないを防止する。【解決手段】本発明は上記課題に鑑みて発明されたもので、視聴可能な期間の少なくなってきた映像コンテンツに対して優先順位をつける視聴残期間抽出手段７を備えることにより、視聴算期間の少ない絵映像コンテンツを一覧表示の上位に表示することにより、記録してある映像コンテンツの視聴をユーザーに促し、期限を過ぎてしまうことによる見損ないを防止するものである。【選択図】        図１
2004207808.tif 000002
【特許請求の範囲】
【請求項１】
映像コンテンツを記録して保存する記録手段と、記録・保存した映像コンテンツを再生して表示させる再生手段と、保存した映像コンテンツが視聴の制限事項を有する場合、その視聴制限にしたがって映像コンテンツの保存に制限を加える信号を付加する視聴制限付加手段と、保存されている映像コンテンツを記録日時などの順番に表示画面に表示する一覧を作成する一覧作成手段を備えた映像記録再生装置であって、
前記映像記録再生装置は視聴制限における視聴残期間の比較判定回路と、視聴制限を有する映像コンテンツの優先順位をつける優先順位判定回路を有する視聴残期間抽出手段を有し、記録手段は一覧作成手段に映像コンテンツを送るとき、視聴制限を有する映像コンテンツは視聴残期間抽出手段を介して一覧作成手段に送出すると共に、視聴残期間抽出手段は視聴制限を有する映像コンテンツ信号が入力されたとき、視聴残期間の少ない視聴制限を抽出し、視聴制限を有する映像コンテンツの視聴残期間から優先順位をつけ、映像コンテンツの一覧作成手段は、視聴残期間抽出手段がつけた優先順位により一覧を作成することを特徴とする映像記録再生装置。
【請求項２】
前記視聴残期間抽出手段が付ける優先順位は、視聴残期間の少ない順につけられることを特徴とする請求項1記載の映像記録再生装置。
【発明の詳細な説明】
【０００１】
【発明の属する技術分野】
本発明は放送等の映像を記録し、再生する録画再生装置に関する。
【０００２】
【従来の技術】
放送等の映像を記録し、再生する録画再生装置において、記録・保存している映像コンテンツの一覧を表示する場合、記録した時間順、あるいはタイトル番号順に表示されることが一般的であり、現在市販されているＤＶＤレコーダーやＨＤＤレコーダーなどもこの順番に記録した番組の一覧を表示しているものがほとんどである。
例えば、２００２年８月１４日、１７：００に最初の映像コンテンツをタイトル１として記録した。そして、次の映像コンテンツを同日の１８：００に記録し、これをタイトル２とする。この状況でタイトル一覧を表示した場合にタイトル１の情報が一覧の先頭に表示され、タイトル２の情報がその次に表示される。あるいは、この並び替えが逆で最後に記録したものから順に表示される場合もあるが、昇順、あるいは降順の時間順に表示されるという点では同じである。
この種記録した番組表示および番組のブックマーク及び一覧表示された番組の検索を行う技術は、下記の特許文献１に開示されている。また再生制限された情報（番組）に基づいて再生制限（再生可能期間、再生可能回数など）に関する所定の表示を行う方法として、下記の特許文献２が知られている。
【０００３】
【特許文献１】
特開平９−２１９８１９号公報
【特許文献２】
特開２００１−５６７８４号
【０００４】
【発明が解決しようとする課題】
しかしながら、特許文献１に開示されている技術は、番組一覧のタイトルにブックマークを付すことで所望の番組を容易に検索することができるものの視聴制限が加えられた番組に対しての配慮がなされていない。また、特許文献２に開示されるように、視聴制限が加えられた映像コンテンツなどにおいて、その再生制限情報の内容を単に通知するだけでは一定の期間が過ぎると見られなくなってしまう場合があった。また、視聴制限を有する映像コンテンツが一覧の下位に表示されてしまうと、ついうっかりと記録してあることを失念して期間内に見ることを忘れてしまい、保存した映像を見損ねてしまう場合がある。
【０００５】
【課題を解決するための手段】
本発明は上記課題に鑑みて発明されたもので、視聴可能な期間の少なくなってきた映像コンテンツに対して優先順位をつける視聴残期間抽出手段を備えることにより、視聴算期間の少ない絵映像コンテンツを一覧表示の上位に表示することにより、記録してある映像コンテンツの視聴をユーザーに促し、期限を過ぎてしまうことによる見損ないを防止するものである。
【０００６】
【発明の実施の形態】
次に本発明の実施の形態を図面を参照して説明する。
図１は本発明の映像記録再生装置の構成を示すブロック図である。
まず、映像記録再生装置の映像コンテンツの記録再生について説明をする。
放送などにより送られてきた映像コンテンツは映像入力装置１を通して記録装置２へ送られる。記録装置２は映像コンテンツを記録可能な形に変換したり、記録日時や番組名などの映像コンテンツに関連した情報を付加情報として加え、記録メディア４に記録・保存する。
記録メディア４に記録されている映像コンテンツを再生する場合、再生装置３は、映像コンテンツを記録メディア４より取り出し、表示可能な形式に変換すると共に、切替え装置６を通して表示装置１０に送る。
【０００７】
記録メディア４に記録・保存されている映像コンテンツの一覧を表示装置１０に表示する場合は、一覧作成装置５に映像コンテンツの情報を送る。一覧作成装置５は記録メディア４より送られた映像コンテンツの情報を、表示可能な形式で一覧を作成する。そして、作成された一覧は切替え装置６を通して表示装置１０へ送られる。
切替え装置６は情報を再生装置３から表示装置１０へと送る、または一覧作成装置５から表示装置１０へ送るための切り替えスイッチを有している。そして、上記のように、映像コンテンツを再生する場合は、再生装置３から出力された情報を表示装置１０へ出力するようにスイッチを切り替える。また、一覧を表示する場合は、一覧作成装置５からの出力を表示装置１０へ出力するようスイッチを切り替える。
【０００８】
一覧作成装置５は記録メディア４に記録されているすべての映像コンテンツについて、付加情報、たとえば、記録日時、記録時間、タイトル名や代表する画面画像など、映像コンテンツに関連した情報を取り出し、記録日時順などの順番にタイトルを並べて一覧を作成する。作成された一覧は表示装置１０で表示可能な形式に変換され、出力される。
【０００９】
次に、映像コンテンツが視聴制限を有する場合の記録、再生について説明をする。
視聴制限がかけられた放送等においては、該映像コンテンツは視聴制限に対する付加情報とともに記録メデイア４に記録される。そして、この付加情報をもった番組情報が記録メディア４から読み出されたとき、記録メディア４は視聴制限情報（信号）を、視聴残期間抽出装置７に送出する。
視聴残期間抽出装置７は一覧作成装置５が記録・保存されている映像コンテンツの一覧を作成する場合に機能する。
たとえば、記録メデイア４に保存されている映像コンテンツが、期間による視聴制限をかけられている場合を説明する。
【００１０】
視聴残期間抽出装置７は、保存されている映像コンテンツの視聴の制限（視聴可能期間）の残りの期間を計算し、装置に設定されている所定の期間Ｔとの差を算出し、差の少ないコンテンツを抽出する装置である。
すなわち、視聴残期間抽出装置７は映像コンテンツの視聴期限日時と図示されない時計による現在時刻との差ｔを算出する。その差（残期間）ｔと、装置に設定されている所定の期間Ｔとを比較し、残期間ｔが設定されている期間Ｔより短い場合（Ｔ＞ｔ）に、一覧作成装置５に「所定の期間よりも短い」とする信号を出力する。この出力する信号は後述する多値信号としている。
そして、記録・保存されている映像コンテンツにおいて、期間による視聴制限がかけられた映像コンテンツが複数ある場合、視聴残期間抽出装置７はその残期間に応じて出力する信号を変化させる。たとえば、視聴残期間抽出装置７は視聴可能な期間（残期間ｔ）の残りが少ないものほど大きな信号を出力する構成となっている。
【００１１】
次に、視聴残期間抽出装置７の動作を図２に示すフローで説明する。
視聴残期間抽出装置７には装置が有する時計から現在日時を入力し（Ｓ１）、コンテンツの視聴可能期間は装置の外より入力される（Ｓ２）。装置は現在日時とコンテンツの視聴可能期間との２つの情報を元に、コンテンツが後どのくらいの期間視聴可能なのか（残期間ｔ）を算出する（Ｓ３）。そして、算出した残期間ｔを、装置内部においてあらかじめ設定されている期間Ｔとの比較を行う（Ｓ４）。比較の結果、設定期間Ｔに対して残期間ｔの方が大きい、または一致する場合（Ｔ≦ｔ）は、ステップＳ５に進み、優先信号値を０として一覧作成装置５へ出力する。
【００１２】
一方、設定されている期間Ｔより残期間ｔの方が少ない場合（Ｔ＞ｔ）、ステップＳ６に進み、その残期間を０〜１の間の信号値に正規化する。そしてステップＳ７で、正規化した信号値を１から引いた値を演算し、優先信号値ｎとして一覧作成装置５へ出力する（Ｓ８）。すなわち、優先信号値ｎは残期間ｔが少ないほど大きな値となる。
【００１３】
一覧作成装置５は通常放送と同様に一覧作成装置５で記録・保存されている映像コンテンツの一覧を作成するが、以下ＡＢＣの３つの規則にしたがって映像コンテンツの表示順を決定する。
Ａ：視聴制限をかけられた映像コンテンツのうち、残期間ｔが所定の期間Ｔよりも短いもの（Ｔ＞ｔ）に関してはその他の映像コンテンツよりも優先して表示する。
Ｂ：視聴制限をかけられた映像コンテンツにおいて、残期間ｔが所定の期間Ｔよりも短い（Ｔ＞ｔ）と判定する映像コンテンツが複数ある場合には、視聴残期間抽出装置７の出力する優先信号値ｎの大きいものを優先して表示する。
Ｃ：視聴残期間抽出装置７の出力する信号値が同じ映像コンテンツが複数ある場合には保存した順番に表示する。
一覧作成装置５は上記規則に従って作成した一覧を、表示装置１０で表示可能な形に変換して、切替え装置６へ出力する。切替え装置６は入力された一覧情報を表示装置１０に出力し、表示装置１０は一覧を表示する。
【００１４】
一覧作成装置５の動作を図３に示すフローで説明する。
一覧作成装置５はコンテンツ情報を取得し（Ｓ１０）、その情報の中から視聴期間制限の有無を調べる（Ｓ１１）。視聴期間制限がない場合、内部に持っている優先表示フラグを０として（Ｓ１２）、ステップＳ１３に進み、コンテンツの表示順決定処理を行う。
一方、ステップＳ１１で視聴期間制限情報が「有」の場合、視聴可能期間の情報を視聴残期間抽出装置７へ出力し（Ｓ１３）、視聴残期間抽出装置７では優先信号値が０か否かを判定する（Ｓ１４）。
視聴残期間抽出装置７に入力された情報が優先信号値０であった場合、すなわち設定されている期間Ｔより残期間ｔが大きいか一致する場合は、視聴期間制限がないコンテンツと同様に優先表示フラグを０にして（Ｓ１２）、ステップＳ１３に進み、コンテンツの表示順決定処理を行う。
【００１５】
優先信号値が０以外であった場合、すなわち設定されている期間Ｔより残期間ｔが小さい場合には、優先表示フラグに入力された優先信号値ｎを設定（Ｓ１５）して、値ｎが大きい順にコンテンツの表示順決定処理を行う（Ｓ１３）。表示順決定処理においては各コンテンツに対して、図４に示す形式で表示順位数値を決定する。この数値においては桁の大きい位置Ａに優先表示フラグの値ｎを格納し、その下位の桁の位置Ｂに通常の判定による表示順位を格納する。これらの処理をすべてのコンテンツに対して繰り返し行う（Ｓ１６）。すべてのコンテンツに対して表示順を決定した後（Ｓ１７）、装置は表示処理を行う（Ｓ１８）。すなわち、上位置Ａの数値が大きい（残期間ｔが少ない）ほど、下位置に表示される数値は小さくなる。表示処理では各コンテンツの表示順位数値を参照し、数値のもっとも小さなものから順に表示していく。表示フラグ０の場合は、記録時間などの情報により表示順を決める。
【００１６】
このように、本発明の映像記録再生装置の一覧画面には、残期間の少ないものほど先に表示されることになる。
なお、以上視聴制限として期間が制限されている場合を説明したが、回数の制限であっても同様に動作する。
【００１７】
【発明の効果】
上述したように、本発明によれば、視聴可能な制限の残りが少なくなってきた映像コンテンツほど一覧の上位に表示されるため、ユーザーは常にそのことを意識でき、映像コンテンツを見逃すことがなくなる。
【図面の簡単な説明】
【図１】本発明の記録再生装置のブロック図
【図２】本発明の視聴残期間抽出装置の動作フロー
【図３】本発明の一覧作成装置の動作フロー
【図４】表示順位数値の格納形式を示す説明図
【符号の説明】
１  映像入力装置
２  記録装置
３  再生装置
４  記録メディア
５  一覧作成装置
６  切替え装置
７  視聴残期間抽出装置
１０  表示装置
【図１】
2004207808.tif 000003
【図２】
2004207808.tif 000004
【図３】
2004207808.tif 000005
【図４】
2004207808.tif 000006